【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
外部電力系統から入力される第１の交流電力を直流電力に変換するコンバータと、
前記コンバータからの前記直流電力によって充電される蓄電装置と、
前記蓄電装置からの直流電力を第２の交流電力へ変換するインバータと、
前記第１の交流電力と前記第２の交流電力とが入力され、出力交流電力を生成する出力交流電力生成部と、
前記外部電力系統における電力供給量と電力需要量との関係を示す外部電力情報をネットワークを介して取得し、前記外部電力情報に応じて前記出力交流電力生成部を制御する制御信号を出力する制御部と
を備え、
前記電力供給量の余裕がある場合には、前記出力交流電力の殆どの割合を前記第１の交流電力が占めるように、前記制御部が前記出力交流電力生成部を制御し、
前記電力供給量の余裕がない場合には、前記出力交流電力が前記第１および第２の交流電力を加算したものとなるように、前記制御部が前記出力交流電力生成部を制御する電力供給装置。
【請求項２】
電力障害発生時には、前記出力交流電力の殆どの割合を前記第２の交流電力が占めるように、前記制御部が前記出力交流電力生成部を制御する請求項１に記載の電力供給装置。
【請求項３】
前記外部電力情報は、現在または予測される電力供給量と電力需要量との差分情報、並びに前記電力需要量の制限情報の何れか一つの情報である請求項１および請求項２の何れかに記載の電力供給装置。
【請求項４】
前記外部電力情報は、自然エネルギーの予測も加味したものである請求項１、請求項２および請求項３の何れかに記載の電力供給装置。
【請求項５】
前記インバータは、前記第１の交流電力と同期した前記第２の交流電力を出力する請求項１、請求項２、請求項３および請求項４の何れかに記載の電力供給装置。
【請求項６】
前記蓄電装置が自然エネルギーから生成された直流電力によって充電される請求項１、請求項２、請求項３、請求項４および請求項５の何れかに記載の電力供給装置。
【請求項７】
外部電力系統から入力される第１の交流電力をコンバータによって直流電力に変換し、
前記コンバータからの前記直流電力によって蓄電装置を充電し、
前記蓄電装置からの直流電力をインバータによって、第２の交流電力へ変換し、
前記第１の交流電力と前記第２の交流電力とから出力交流電力生成部によって、出力交流電力を生成し、
前記外部電力系統における電力供給量と電力需要量との関係を示す外部電力情報をネットワークを介して取得し、前記外部電力情報に応じて前記出力交流電力生成部を制御する制御信号を制御部によって生成し、
前記電力供給量の余裕がある場合には、前記出力交流電力の殆どの割合を前記第１の交流電力が占めるように、前記制御部が前記出力交流電力生成部を制御し、
前記電力供給量の余裕がない場合には、前記出力交流電力が前記第１および第２の交流電力を加算したものとなるように、前記制御部が前記出力交流電力生成部を制御する電力供給制御方法。
【手続補正２】
【補正対象書類名】明細書
【補正対象項目名】０００９
【補正方法】変更
【補正の内容】
【０００９】
上述した課題を解決するために、本開示は、外部電力系統から入力される第１の交流電力を直流電力に変換するコンバータと、
コンバータからの直流電力によって充電される蓄電装置と、
蓄電装置からの直流電力を第２の交流電力へ変換するインバータと、
第１の交流電力と第２の交流電力とが入力され、出力交流電力を生成する出力交流電力生成部と、
外部電力系統における電力供給量と電力需要量との関係を示す外部電力情報をネットワークを介して取得し、外部電力情報に応じて出力交流電力生成部を制御する制御信号を出力する制御部と
を備え、
電力供給量の余裕がある場合には、出力交流電力の殆どの割合を第１の交流電力が占めるように、制御部が出力交流電力生成部を制御し、
電力供給量の余裕がない場合には、出力交流電力が第１および第２の交流電力を加算したものとなるように、制御部が出力交流電力生成部を制御する電力供給装置である。
【手続補正３】
【補正対象書類名】明細書
【補正対象項目名】００１０
【補正方法】変更
【補正の内容】
【００１０】
本開示は、外部電力系統から入力される第１の交流電力をコンバータによって直流電力に変換し、
コンバータからの直流電力によって蓄電装置を充電し、
蓄電装置からの直流電力をインバータによって、第２の交流電力へ変換し、
第１の交流電力と第２の交流電力とから出力交流電力生成部によって、出力交流電力を生成し、
外部電力系統における電力供給量と電力需要量との関係を示す外部電力情報をネットワークを介して取得し、外部電力情報に応じて出力交流電力生成部を制御する制御信号を制御部によって生成し、
電力供給量の余裕がある場合には、出力交流電力の殆どの割合を第１の交流電力が占めるように、制御部が出力交流電力生成部を制御し、
電力供給量の余裕がない場合には、出力交流電力が第１および第２の交流電力を加算したものとなるように、制御部が出力交流電力生成部を制御する電力供給制御方法である。
【手続補正４】
【補正対象書類名】明細書
【補正対象項目名】００１５
【補正方法】変更
【補正の内容】
【００１５】
グリッド電力ＡＣ０がスイッチＳＷ１を介して負荷制御部２に供給される。負荷制御部２から出力される第１の交流電力をＡＣ０１と表記する。後述するように、蓄電装置５の直流電力から生成される第２の交流電力ＡＣ１０が負荷制御部１６から出力される。これらの交流電力ＡＣ０１およびＡＣ１０が加算されて家庭の電子機器群１７に供給される。
【手続補正５】
【補正対象書類名】明細書
【補正対象項目名】００１６
【補正方法】変更
【補正の内容】
【００１６】
図示しないが、交流電力が配電盤（分電盤を含む）に供給され、配電盤から導出された電力線およびコンセントを通じて電子機器群１７の各電子機器に対して電力が供給される。電子機器群１７の例は、空調装置、冷蔵庫、照明器具、洗濯機、テレビジョン受信機等である。
【手続補正６】
【補正対象書類名】明細書
【補正対象項目名】００２６
【補正方法】変更
【補正の内容】
【００２６】
制御された交流電力ＡＣ０１をαＡＣ１（α＝０〜１の間の値）と表すことができ、制御された交流電力ＡＣ１０をβＡＣ０（β＝０〜１の間の値）と表すことができ、電子機器群１７に供給される合計の電力を（ＡＣ０１＋ＡＣ１０＝αＡＣ０＋βＡＣ１）と表すことができる。αおよびβは、制御部８からの制御信号ＳＣ４およびＳＣ５によって制御され、相補的にこれらの係数（重み）が変化するように制御される。例えば（α＝１，β＝０）の場合では、合計の交流電力がＡＣ０のみとなり、（α＝０，β＝１）の場合では、合計の交流電力がＡＣ１のみとなる。αおよびβの変化は、連続的な変化およびステップ的な変化の何れであっても良い。なお、可変抵抗を使用するような負荷制御部２および１６を使用する場合には、完全に（α，β＝０）とすることは難しい。しかしながら、例えばスイッチを併用することによって、これらの係数を０とすることが可能である。
【手続補正７】
【補正対象書類名】明細書
【補正対象項目名】００４３
【補正方法】変更
【補正の内容】
【００４３】
ステップＳ２０において、蓄電装置５の残量が多いか否かが判定される。残量が少ない場合には、ステップＳ２１において、充電動作がなされる。残量が多い場合には、充電が行われず、ステップＳ１７（グリッド情報の取得）に処理が戻る。なお、ここでは、残量が多いか否かと表現しているが、バッテリの充電電圧が所定電圧より高いか否か、充電電流が所定量より少ないか否か等で判断してもよい。
【手続補正８】
【補正対象書類名】図面
【補正対象項目名】図３
【補正方法】変更
【補正の内容】
【図３】
2012249458.tif 000001